(57)【要約】【課題】生体信号を伝達するとともに衣服に容易に着脱できる生体電極を提供する。【解決手段】衣服３０に対して着脱可能な生体電極１０であって、複数の単繊維から構成される繊維構造物に導電性高分子が含浸した導電性繊維構造物で形成された電極１３と、導電性を有して電極と電気的に接続される被係合部１１であって、導電性を有して衣服に設けられた係合部３１に着脱可能に係合し、係合部に係合したときに係合部と電気的に接続される被係合部と、を備える。【選択図】図１
2020062393.tif 000002
【特許請求の範囲】
【請求項１】
衣服に対して着脱可能な生体電極であって、
複数の単繊維から構成される繊維構造物に導電性高分子が含浸した導電性繊維構造物で形成された電極と、
導電性を有して前記電極と電気的に接続される被係合部であって、導電性を有して前記衣服に設けられた係合部に着脱可能に係合し、前記係合部に係合したときに前記係合部と電気的に接続される被係合部と、
を備えることを特徴とする生体電極。
【請求項２】
前記単繊維の繊維径が１０ｎｍ以上５μｍ以下であること、
を特徴とする請求項１に記載の生体電極。
【請求項３】
前記被係合部の少なくとも一部は、前記電極に埋め込まれていること、
を特徴とする請求項１又は２に記載の生体電極。
【請求項４】
前記導電性高分子は、チオフェン系導電性高分子を含むこと、
を特徴とする請求項１から３のいずれか一項に記載の生体電極。
【請求項５】
請求項１から４のいずれか一項に記載の生体電極と、
前記衣服と、
を備えることを特徴とするウエアラブル電極。
【発明の詳細な説明】
【技術分野】
【０００１】
本発明は、生体電極及びウエアラブル電極に関する。
本願は、２０１５年７月８日に出願された特願２０１５−１３７２８６号に基づき優先権を主張し、その内容をここに援用する。
【背景技術】
【０００２】
使用者（生体）が着る下着型の衣服に生体電極を取付け、使用者が発する生体信号を取得するシステムは、超高齢化社会における医療介護健康システムの効率的なツールとして近年活発に研究開発が進められている。以下では、生体電極及び衣服で構成されるものを、ウエアラブル電極と称する。
ウエアラブル電極は、下着に求められる各種要件、性別、体型、季節への対応、サイズ展開、年齢層に合わせたバリエ−ション等が必要である。しかし、多様なバリエーションは、薬事認証番号が増え手続きが煩雑になる等、医療機器としての許認可・製造・管理が難しくなる。このため、できる限り少ないウエアラブル電極のバリエーションで、各種要件等に対応することが求められる。
【０００３】
また、医療用の生体電極においては、電極及び配線は、それぞれ医療規格（例えば非特許文献１参照）が定められている。
【先行技術文献】
【非特許文献】
【０００４】
【非特許文献１】ＡＮＳＩ／ＡＡＭＩ  ＥＣ１２：２０００  （Ｒ２０１０）、  ”Ｄｉｓｐｏｓａｂｌｅ  ＥＣＧ  ｅｌｅｃｔｒｏｄｅｓ”
【発明の概要】
【発明が解決しようとする課題】
【０００５】
しかしながら、単回使用（使い捨て）の生体電極とする場合、衣服を洗濯する際に生体電極を交換できる構造が必要となる。この場合、衣服と生体電極とは容易に着脱できなければいけないという問題があった。
【０００６】
上記事情に鑑み、本発明は、生体信号を伝達するとともに衣服に容易に着脱できる生体電極、及びこの生体電極を備えるウエアラブル電極を提供することを目的としている。
【課題を解決するための手段】
【０００７】
本発明の一態様は、衣服に対して着脱可能な生体電極であって、複数の単繊維から構成される繊維構造物に導電性高分子が含浸した導電性繊維構造物で形成された電極と、導電性を有して前記電極と電気的に接続される被係合部であって、導電性を有して前記衣服に設けられた係合部に着脱可能に係合し、前記係合部に係合したときに前記係合部と電気的に接続される被係合部と、を備える生体電極である。
【０００８】
また、前記単繊維の繊維径が１０ｎｍ以上５μｍ以下であっても良い。
また、前記被係合部の少なくとも一部は、前記電極に埋め込まれていても良い。
【０００９】
また、前記導電性高分子は、チオフェン系導電性高分子を含んでも良い。
本発明の一態様は、上記の生体電極と、前記衣服と、を備えるウエアラブル電極である。
【発明の効果】
【００１０】
本発明により、生体信号を伝達するとともに衣服に容易に着脱できる生体電極及びウエアラブル電極を提供することができる。
【図面の簡単な説明】
【００１１】
【図１】本発明の一実施形態のウエアラブル電極の正面に対する縦断面図である。
【図２】図１におけるＡ１方向矢視図である。
【図３】同ウエアラブル電極の生体電極における断面図である。
【図４】同生体電極の要部の平面図である。
【図５】同生体電極の要部の底面図である。
【図６】同生体電極の底面図である。
【発明を実施するための形態】
【００１２】
以下、本発明に係るウエアラブル電極の一実施形態を、図１から図６を参照しながら説明する。
図１及び２に示すように、本実施形態のウエアラブル電極１は、雄ボタン（被係合部、ボタン）１１を有する生体電極１０と、雄ボタン１１に着脱可能に係合する雌ボタン（係合部）３１が設けられた下着（衣服）３０と、を備えている。なお、雄ボタン１１及び雌ボタン３１で、ドットボタン（スナップボタン）２１を構成する。
図１は、立っている使用者（生体）Ｐがウエアラブル電極１を着た状態を示す。図２においては、後述する表地３３は示していなく、補強布３６の一部を破断線Ｍで破断して示している。
以下では、まず生体電極１０について説明する。
【００１３】
図３から５に示すように、本実施形態の生体電極１０は、平板状に形成された電極１３と、電極１３に積層された防水層１４と、電極１３及び防水層１４に固定された前述の雄ボタン１１とを有している。なお、図５においては、後述するカバー１９を二点鎖線で示している。
電極１３は、そのベースとなる生地である基布としての繊維構造物に導電性高分子を含浸させた導電性繊維構造物で形成されている。
電極１３に使用する繊維構造物の形態としては、織物、編物および不織布が挙げられる。繊維構造物に含浸させる導電性樹脂（導電性高分子）の量が不足すると、繰り返し使用での洗濯耐久性が得られなくなるため、繊維構造物の目付け（上記基布としての単位重量）は、５０ｇ／ｍ２以上３００ｇ／ｍ２以下であることが好ましい。５０ｇ／ｍ２より小さいと、導電性樹脂の含浸量が少なくなり、洗濯耐久性が得られない。３００ｇ／ｍ２より大きいと、着用感が劣る原因となる。より好ましくは、６０ｇ／ｍ２以上２５０ｇ／ｍ２以下である。
繊維構造物の厚みは、０．２ｍｍ以上２．０ｍｍ以下であることが好ましい。厚みが０．２ｍｍ未満では、生地が薄過ぎるため実質目付けが小さくなり、導電性樹脂の含浸量が少なくなる。厚みが２．０ｍｍを超えると、厚過ぎて着用感が劣る原因となる。より好ましくは０．３ｍｍ以上１．５ｍｍ以下である。
【００１４】
また、良好な心電波形を継続的に得るためには、電極１３が皮膚に接触し、貼り付いた状態を保持する必要がある。電極１３を皮膚に継続して貼り付けておくためには、繊維構造物を構成する生地の柔軟性が必要となるため、繊維構造物は、織物、編物、不織布が好ましく、より好ましくは、より柔軟性の高い編物である。ただし、電極１３自体の柔軟性が高すぎるために、着用時に電極１３が折れたり、動いたりする場合は、電極１３の裏側に補強のための部材を配置しても良い。
さらに、編物に代表される繊維構造物の組織、製造方法は特に限定される物では無いが、電極１３として汗等の水分を保持する形状が好ましく、編物ではダブルニットが好ましく使用出来る。その例として、ダブルラッセル組織、ダンボール組織、リバーシブル組織、スムース組織、フライス組織、裏毛組織等が上げられるが、これに限定される物ではない。
【００１５】
本発明の電極１３に用いる織編物は、導電性樹脂の繊維構造物への担持ならびに高導電性の観点から、複数の単繊維から構成されるマルチフィラメント糸を含んでいることが好ましい。マルチフィラメント糸の繊度は特に限定はされないが、繊維構造物としての特性を活かす観点から、３０ｄｔｅｘから４００ｄｔｅｘであることが好ましい。織編物中のマルチフィラメント糸の混率は、性能に影響がない範囲であれば、特に限定されないが、混率は高い方が導電性、耐久性の観点から好ましく、より好ましくは５０％以上１００％以下である。
【００１６】
織編物に使用されるマルチフィラメント糸の素材は、例えばポリエチレンテレフタレート、ポリトリメチレンテレフタレート、ポリブチレンテレフタレート等のポリエステル系合成繊維、ナイロン等のポリアミド系合成繊維などを使用することができるがこれに限定されるものではない。また、酸化チタン等の添加物を配合したものを使用してもよいし、吸湿性向上等の機能性付与のためにポリマー改質した繊維も使用してもよい。
また、マルチフィラメントを構成する単繊維単位の断面形状も規定されるものではなく、丸形、三角形、八葉形、扁平形、Ｙ形に代表される様々な異形断面糸も使用することができる。さらに、非弾性糸として、粘度が異なるポリマーからなる芯鞘またはサイドバイサイド型の複合糸を使用することもできる。さらにまた、これらの原糸に仮撚加工を施した仮撚加工糸を用いても良い。さらには、ポリアクリルニトリル、ポリプロピレンなどの合成繊維、レーヨン、ポリノジック、キュプラなどの再生繊維、アセテート、トリアセテートなどの半合成繊維、シルクに代表される天然繊維を使用することができる。
【００１７】
本発明に係る繊維構造物は、繊維表面および繊維間の空隙へ導電性樹脂を担持させる観点から、単繊維の繊維径が０．２ｄｔｅｘ以下のマルチフィラメントを含むことが好ましい。０．２ｄｔｅｘ以下の単繊維マルチフィラメントの繊維構造物に占める混率は、性能に影響がない範囲であれば特に限定されないが、混率は高い方が導電性、耐久性の観点から好ましく、より好ましくは５０％以上１００％以下である。
さらに、単繊維の本数が多いほど複数の単繊維から構成される空隙、すなわち導電性樹脂が担持される部位が細分化されることで導電性樹脂の繊維構造物への担持性が高くなり、かつ、繊維径が細くなることで細分化されても導電性樹脂の連続性が保持されるため、優れた高導電性および洗濯耐久性が得られるようになる。
【００１８】
好ましくは、人工皮革やアウター素材などに用いられる繊維径が５μｍ以下のマイクロファイバーを用いることが好ましく、より好ましくは、近年、スポーツ衣料、ブラジャー、ゴルフグローブ等の内張りに、滑り止めを目的に使用されている繊維径１０ｎｍ以上１０００ｎｍ以下のナノファイバーを用いることがより好ましい。
ナノファイバーとしては、“ナノアロイ（登録商標）”繊維から作製されるナノファイバーステープル糸集合体、エレクトロスピニング方式等により作製されるモノフィラメント糸の集合体等、既知の方法で作製されたナノファイバーを含む繊維構造物が好適に利用できるが、ナノファイバーのマルチフィラメント糸を含む繊維構造物がより好ましい。
ナノファイバーのマルチフィラメント糸は、既知の複合紡糸方式等により作製できる。
一例としては、特開２０１３−１８５２８３号公報に例示された複合口金を用いた複合繊維を脱海した、繊維径のバラツキが小さいナノファイバーマルチフィラメント糸が有効に利用できるが、これらに限定されるものではない。ここで、脱海とは、繊維の海成分を溶かして島成分を残す加工のことを言う。
【００１９】
導電性高分子としては、ポリ３，４−エチレンジオキシチオフェンとポリスチレンスルホン酸との混合物（ＰＥＤＯＴ−ＰＳＳ）を含むものを好適に用いることができる。
これ以外には、導電性高分子として、例えばピロール系、チオフェン系、イソチアナフテン系、フェニレン系、アセチレン系、アニリン系の各導電性高分子や、これらの共重合体等を用いることができる。また、これらの導電性高分子のドーパントに、例えばハロゲン化物イオン、過塩素酸イオン、テトラフルオロ硼酸イオン、六フッ化ヒ酸イオン、硫酸イオン、硝酸イオン、チオシアン酸イオン、燐酸系イオン、トリフルオロ酢酸イオン、トシレートイオン、アルキルスルホン酸イオン、ポリアクリル酸イオン等の高分子イオンのうち、少なくとも一種のイオンが用いられてもよい。
【００２０】
本発明に係る繊維構造物からなる電極１３は、皮膚への接触時の刺激性が少なく、安全性が高い。皮膚の乾燥等により信号が良好に得られない場合は、繊維構造物に、生理食塩水や保湿剤を少量塗布することが好ましい。保湿剤としては、例えば、グリセロール、ソルビトール、ポリエチレングリコール、ポリエチレングリコール−ポリプロピレングリコールコポリマー、エチレングリコール、スフィンゴシン、ホスファチジルコリン等を用いることができ、これらのうち１種類を単独で用いても良く、２種以上を組合せて用いても良い。
このように電極１３を保湿することで、電極１３が使用者Ｐの皮膚に接触すると、保湿剤の濡れ性による接着力が生じる。
【００２１】
電極１３は、より詳しく説明すると、溶媒中に前述の導電性高分子とバインダとを分散させた分散液を前述の繊維構造物に塗布することにより、繊維構造物に導電性高分子を含浸させてなるものである。
溶媒の種類は特に限定されず、導電性高分子やバインダの種類と目的に合わせて適宜選択される。
【００２２】
導電性高分子は、バインダとともに使用することにより、導電性高分子を含む塗膜の耐傷性や表面硬度が高くなり、基材との密着性が向上する。また、バインダを用いることにより、繊維構造物への導電性高分子の担持が容易となるとともに、電極部材を繰り返し洗濯後の表面抵抗の上昇も抑制できる。
バインダとしては、熱硬化性樹脂であってもよいし、熱可塑性樹脂であってもよい。例えば、ポリエチレンテレフタレート、ポリブチレンテレフタレート、ポリエチレンナフタレート等のポリエステル；ポリイミド；ポリアミドイミド；ポリアミド６、ポリアミド６，６、ポリアミド１２、ポリアミド１１等のポリアミド；ポリフッ化ビニリデン、ポリフッ化ビニル、ポリテトラフルオロエチレン、エチレンテトラフルオロエチレンコポリマー、ポリクロロトリフルオロエチレン等のフッ素樹脂；ポリビニルアルコール、ポリビニルエーテル、ポリビニルブチラール、ポリ酢酸ビニル、ポリ塩化ビニル等のビニル樹脂；エポキシ樹脂；キシレン樹脂；アラミド樹脂；ポリイミドシリコーン；ポリウレタン；ポリウレア；メラミン樹脂；フェノール樹脂；ポリエーテル；アクリル樹脂及びこれらの共重合体等が挙げられる。 
【００２３】
これらバインダは、有機溶剤に溶解されていてもよいし、スルホン酸基やカルボン酸基等の官能基が付与されて水溶液化されていてもよいし、乳化等水に分散されていてもよい。
バインダ樹脂の中でも、容易に混合できることから、ポリウレタン、ポリエステル、アクリル樹脂、ポリアミド、ポリイミド、エポキシ樹脂、ポリイミドシリコーンのいずれか１種以上が好ましい。使用する溶媒は、導電性高分子、およびバインダが安定して分散するものであれば制限されるものではないが、水、または水とアルコールの混合溶液が好適に使用できる。ＰＥＤＯＴ−ＰＳＳ等のポリチオフェン系導電性高分子を使用する場合、水とエタノールの混合溶媒とすることが好ましい。
【００２４】
電極１３の大きさや形状については、生体信号が検出できれば特に規定されるものではなく、タテ、ヨコの長さは各２ｃｍ以上、２０ｃｍ以下であることが好ましい。電極１３のタテ、ヨコの長さが各２ｃｍ未満であると、電極１３の面積が小さ過ぎるため、運動時などに衣服が動く際に電極１３もずれ易く、ノイズを拾い易くなる。２０ｃｍを越えると実質信号検出に必要のない大きさであると共に、電極１３の面積が大き過ぎるため、隣接する電極との間隔が小さく、ショートなどトラブルの原因になり易い。
より好ましくは、タテ、ヨコの長さが各２．５ｃｍ以上、１８ｃｍ以下であることが好ましい。さらに好ましくは、図６に示すように、例えば４ｃｍ×４ｃｍ前後の正方形で、角を丸くカットした形状のものが用いられる。
【００２５】
防水層１４は、液状の水分を透過しない層である。
ここでいう防水層１４は、必ず必要では無いが、導電性物質を含む繊維構造物の片面に、樹脂層として積層されてなることが好ましい。生体電極への適応を考えると、電極１３に用いる繊維構造物の肌側と接する面の裏面側に樹脂層が積層されることが好ましい。生体信号を検出する際、電極１３が乾燥してしまうと、安定して生体信号を検出することが困難になる。
したがって、ある程度電極１３を湿潤状態に保つ必要があり、電極１３の片面を樹脂層で覆うことで、乾燥を防ぎ、導電性を安定して得ることができる。さらに、電極１３の片面を樹脂層で覆うことで、洗濯時に脱落する導電性樹脂を軽減することができ、洗濯耐久性を大幅に抑制できるようになる。
【００２６】
樹脂層を構成するポリマーの種類、形状は、液体を透過しない物であれば特に限定される物では無いが、例えば、アクリル、塩化ビニル等の高分子フィルムをラミネーションする方法、アクリル樹脂、ウレタン樹脂をコーティングする方法等が挙げられる。肌側の蒸れ感等を適度にコントロールする必要がある場合は、特に限定されるものではないが、防水透湿層であることが好ましい。
防水透湿層としては、ＰＴＦＥ（ポリテトラフルオロエチレン）多孔膜、親水性のポリエステル樹脂、ポリウレタン樹脂等、親水性エラストマーからなる無孔膜、ポリウレタン樹脂微多孔膜等、既知の膜、フィルム、積層物、樹脂等をコーティング、ラミネート方式で積層した形態が挙げられるがこれらに限定されるものではない。基材である繊維構造物への追随性の観点から、防水層１４は、伸縮性を有するポリウレタン樹脂微多孔膜をラミネートにより積層接着したものが好ましい。更に、透湿性を向上させるために、片面に樹脂層を積層した繊維構造物に、パンチング機やミシンを用いて微多孔を形成しても良い。
【００２７】
雄ボタン１１は公知の構成のものであり、図１中の拡大図に示すようにホソ１６とゲンコ１７とを有している。ホソ１６及びゲンコ１７は、ステンレス鋼等の導電性を有する金属でそれぞれ形成されている。ホソ１６は電極１３側に配置され、ゲンコ１７は防水層１４側に配置されている。ホソ１６の一部は電極１３に埋め込まれ、ゲンコ１７の一部は防水層１４に埋め込まれている。このため、電極１３とホソ１６とにより形成される段差、及び防水層１４とゲンコ１７とにより形成される段差がそれぞれ小さくなる。
ホソ１６の頭部１６ａは、ゲンコ１７を通して外部に突出している。ホソ１６とゲンコ１７とは、電気的に接続されている。雄ボタン１１は、電極１３及び防水層１４の中央部に設けられているが、雄ボタン１１の設置位置は特に限定されるものではない。雄ボタン１１は、電極１３と電気的に接続されている。
雄ボタン１１は、下着３０と生体電極１０とを機械的に接続して生体電極１０の中央部を一点で支持することと、生体電極１０を、雌ボタン３１を介して測定装置（処理装置）Ｄに電気的に接続することを兼ねる。
【００２８】
雄ボタン１１のホソ１６は、カバー（被覆部材）１９で覆われていることが好ましい。
カバー１９としては、ホソ１６が使用者Ｐに直接接しなければ特に限定される物では無いが、衣料に通常用いられるシームテープ等を用いることができる。なお、被覆部材はカバー１９であるとしたが、被覆部材はホソ１６における使用者Ｐに接触する外面を覆うコーティング（塗装）等であってもよい。
【００２９】
図１及び２に示すように、下着３０は、表地３３と、表地３３に接続された裏地３４と、裏地３４に設けられた配線部３５とを有している。表地３３及び裏地３４は、所望の布地等で形成することができる。裏地３４には、上下方向に延びるスリット３４ａが形成されている。スリット３４ａは、裏地３４を厚さ方向に貫通している。スリット３４ａの上下方向の長さＬは、生体電極１０の短辺の長さよりも短い事が好ましく、例えば４ｃｍ角の場合４ｃｍ未満である（図２参照）。スリット３４ａの幅は、ホソ１６の頭部１６ａがスリット３４ａに沿って可動であれば特に限定される物ではないが、頭部１６ａの外径程度が好ましい。
スリット３４ａは、使用者Ｐがウエアラブル電極１を着たときに、使用者Ｐの胸部Ｐ１に対向する位置に形成されることが好ましい。
【００３０】
裏地３４と表地３３との間には、補強布３６が設けられていても良い。補強布３６は、例えば所望の布地等で矩形状に形成されている。補強布３６は、裏地３４のスリット３４ａを覆うように配置されている。裏地３４と補強布３６とは、例えば裏地３４と補強布３６とを糸で縫うことにより形成された一対の縫い目３７により接続されている。各縫い目３７は、上下方向に延びている。このように構成された裏地３４、スリット３４ａ、補強布３６、及び一対の縫い目３７は、筒状構造３８を構成している。
表地３３と裏地３４とは、補強布３６よりも上方に設けられた縫い目等の接続部４０で接続されている。後述するように、生体電極１０はスリット３４ａを通して裏地３４に取付けられる。裏地３４と表地３３とが接続されている部分のうちスリット３４ａから最も近い部分が、接続部４０であるとする。接続部４０は、裏地３４のスリット３４ａから離間しており、離間している距離は１ｃｍ以上であることが好ましい。後述するように、表地３３の動きが接続部４０を介して生体電極１０に伝わりにくくなるためである。
裏地３４における補強布３６よりも上方の部分には、環状のループ部４１が取付けられていても良い。
【００３１】
配線部３５は、筒状構造３８内に配置された支持プレート４４と、支持プレート４４の中央部に固定された前述の雌ボタン３１と、雌ボタン３１に第一の端部が接続された接続配線４５とを有している。
支持プレート４４は、所望の樹脂製の板材や布地等で矩形状に形成されている。支持プレート４４は、筒状構造３８内で容易に移動できるように一定の剛性を持つことが好ましい。支持プレート４４の幅は、一対の縫い目３７の間の距離よりも短い。支持プレート４４は、一対の縫い目３７をガイドにして、筒状構造３８内で上下方向に移動可能である。
支持プレート４４は、自身と裏地３４及び補強布３６との間に生じる摩擦力により、上下方向の位置が保持される。
【００３２】
雌ボタン３１は下着３０に設けられた公知の構成のものであり、アタマ４７とバネ４８とを有している。アタマ４７及びバネ４８は、ステンレス鋼等の導電性を有する金属でそれぞれ形成されている。アタマ４７は補強布３６側に配置され、バネ４８は裏地３４側に配置されている。アタマ４７とバネ４８とは、電気的に接続されている。
雌ボタン３１には、裏地３４のスリット３４ａを通した雄ボタン１１の頭部１６ａが係合可能である。スリット３４ａを挟むように配置された雌ボタン３１、及び生体電極１０の雄ボタン１１は、係合して一体となって、スリット３４ａに沿って上下方向に移動する。これにより、胸部Ｐ１に対する生体電極１０の上下方向の位置を最適にして、生体信号を測定することができる。
雄ボタン１１と雌ボタン３１とが係合したときに、雄ボタン１１と雌ボタン３１とが電気的に接続される。
【００３３】
接続配線４５としては、配線が柔らかい、いわゆるフレキシブル配線等の公知のものを適宜選択して用いることができる。フレキシブル配線を用いることで、胸部Ｐ１に局所的に荷重が加わって使用者Ｐが違和感を感じるのを抑えることができる。
接続配線４５の図示しない芯線は、雌ボタン３１に電気的に接続されている。接続配線４５は、雌ボタン３１から上方に引き出され、ループ部４１内を通った後で下方に引き回されている。接続配線４５の第二の端部は、測定装置Ｄに接続されている。
【００３４】
測定装置Ｄは、使用者Ｐが発する電気的な生体信号の処理が可能な公知の構成のものである。
測定装置Ｄは、例えば表地３３に設けられたポケット等の収納部３３ａ内に保持されている。測定装置Ｄは、裏地３４に設けられた収納部内や、使用者Ｐに取付けられるウエストバッグ内等に保持されてもよい。
【００３５】
次に、以上のように構成されたウエアラブル電極１の作用について説明する。
使用者Ｐは、生体電極１０を取外した下着３０を洗濯等しておく。下着３０の雌ボタン３１に新しい生体電極１０の雄ボタン１１を係合させ、ウエアラブル電極１を構成する。
このとき、雌ボタン３１と雄ボタン１１とが電気的に接続される。
使用者Ｐがウエアラブル電極１の下着３０を着ると、生体電極１０の電極１３は使用者Ｐの胸部Ｐ１の皮膚に接触する。電極１３が変形しやすいため、電極１３が胸部Ｐ１の形状に合わせて容易に変形し、電極１３により使用者Ｐが発する生体信号を取得しやすい。
生体電極１０にカバー１９が設けられているため、雄ボタン１１が直接胸部Ｐ１に接触しなく、生体電極１０が胸部Ｐ１に接触したことに対して使用者Ｐが不快感を受けにくい。
防水層１４を防水透湿層とした場合湿気を通すため、胸部Ｐ１が蒸れにくい。
【００３６】
この濡れ性と粘性による生体電極１０の皮膚への張り付き効果は、以下の４つの条件が満たされる場合に安定する。１つ目は、生体電極１０を皮膚に平行（フラット）に接触させることである。２つ目は、生体電極１０の中央部を支持し、皮膚側に押し付けることである。３つ目は、皮膚上で生体電極１０をずらさない（シフトしない）ことである。４つ目は、保湿剤を（乾燥拡散等で）喪失させないことである。
上記の４つの条件が失われ測定の失敗や中断をする原因としては、生体電極１０を皮膚表面から引きはがす力（水平及び垂直方向の力）、体動による皮膚の変形、保湿剤の喪失（乾燥等による）が挙げられる。生体電極１０を引きはがす力、及び体動による皮膚の変形は、皮膚と生体電極１０との接触不良につながる。保湿剤の喪失は、接触抵抗の増大につながる。特に身体の大きな動き、生体電極１０の接続配線４５、従来の下着による牽引が原因で計測が障害される場合が多い。
【００３７】
使用者Ｐは、必要に応じて生体電極１０を適宜上下方向に移動させて生体電極１０の位置を調節する。
生体電極１０の電極１３により取得された生体信号は、互いに電気的に接続された雄ボタン１１、雌ボタン３１、及び接続配線４５を介して測定装置Ｄに伝達される。
【００３８】
測定装置Ｄを起動すると、心電波形等の生体信号の測定が開始される。使用者Ｐは、心電図を測定しながら歩く等の動作をする。
使用者Ｐの動作にともなって、下着３０の表地３３が動く場合がある。接続部４０は裏地３４のスリット３４ａから離間しているため、表地３３の動きが接続部４０を介して裏地３４のスリット３４ａまでほとんど伝わらない。このため、使用者Ｐの胸部Ｐ１に生体電極１０の電極１３が接触した状態が維持される。
また、測定装置Ｄに近い部分の接続配線４５が引っ張られると、接続配線４５に作用する力はループ部４１で受けられた後で雌ボタン３１に伝達される。これにより、接続配線４５が引っ張られる力が雌ボタン３１に直接伝達されるのが抑制される。
【００３９】
以上説明したように、本実施形態の生体電極１０及びウエアラブル電極１によれば、雄ボタン１１及び雌ボタン３１により、生体電極１０を下着３０に容易に着脱させることができる。また、使用者Ｐに接触する電極１３が取得した生体信号を、雄ボタン１１を介して雌ボタン３１に伝達させることができる。
生体電極１０はその中央部を下着３０側の雌ボタン３１により支えられる。ドットボタン２１は、生体電極１０との電気的な接触を保ちつつ生体電極１０を皮膚側に押しつけ、生体電極１０の電極１３が皮膚と貼り付いた状態を維持することができる。
また、電極１３と胸部Ｐ１との接着力が失われない限り、皮膚との安定した接触状態を維持できるため、生体信号の長期計測が可能となる。
【００４０】
生体電極１０がカバー１９を備えることで、生体電極１０が胸部Ｐ１に接触したことに対して使用者Ｐが不快感及び違和感を受けにくくすることができる。生体電極１０が使用者Ｐの身体に局所的に荷重が付加されることを低減することで、生体電極１０を装着中の不快感がほとんどなく、長期間の測定が可能となる。
雄ボタン１１の一部が電極１３に埋め込まれていることで、電極１３と雄ボタン１１とにより形成される段差が小さくなる。したがって、電極１３に接触する使用者Ｐが不快感を受けにくくなる。
電極１３は、導電性高分子を含浸させた繊維構造物である導電性繊維構造物で形成されている。このため、電極１３が胸部Ｐ１の形状に合わせて容易に変形して、胸部Ｐ１からの生体信号を確実に電極１３が取得することができる。
【００４１】
以上、この発明の実施形態について図面を参照して詳述してきたが、具体的な構成はこの実施形態に限られるものではなく、この発明の要旨を逸脱しない範囲の設計等も含まれる。
例えば、前記実施形態では、被係合部が雄ボタン１１で係合部が雌ボタン３１であるとした。しかし、被係合部が雌ボタンで係合部が雄ボタンであるとしてもよい。
係合部及び被係合部がドットボタン２１であるとした。しかし、係合部及び被係合部は、導電性を有するとともに着脱が容易であれば、スナップフィット等の他の接続構造やボタン等でもよい。
本実施形態では、雌ボタン３１に接続配線４５を介して心電図を表示する測定装置Ｄが電気的に接続されるとした。しかし、雌ボタン３１に接続される装置はこの限りではなく、例えば生体信号の検出、表示等の処理が可能な装置でもよいし、生体信号を無線通信等により外部の装置に伝達させる装置でもよい。
【産業上の利用可能性】
【００４２】
本発明により、生体信号を伝達するとともに衣服に容易に着脱できる生体電極及びウエアラブル電極を提供することができる。
【符号の説明】
【００４３】
１…ウエアラブル電極
１０…生体電極
１１…雄ボタン（被係合部）
１３…電極
１９…カバー（被覆部材）
２１…ドットボタン
３０…下着（衣服）
３１…雌ボタン（係合部）
【図１】
2020062393.tif 000003
【図２】
2020062393.tif 000004
【図３】
2020062393.tif 000005
【図４】
2020062393.tif 000006
【図５】
2020062393.tif 000007
【図６】
2020062393.tif 000008